(57)【要約】【課題】簡単な構成で雷サージから確実に保護するとともに直流入出力制御装置の誤制御を確実に防止する。【解決手段】非線形抵抗素子からなる雷サージ保護素子５ａ，５ｂ，５ｃを直流入力制御装置１ａの複数の直流入力電子回路２ａ，２ｂに遠方入力ＩＲａ，ＩＲｂを接続する制御線３ａ，３ｂと、制御線３ａ，３ｂとは極性が異なる遠方入出力用直流電源装置４の出力との間に接続して、雷サージ保護素子５ａに導通故障が生じても直流入力制御装置１ａを安全側に制御して列車の安全運行が損なわれることを防ぐ。【選択図】  図１
2010279187.tif 000002
【特許請求の範囲】
【請求項１】
遠方入出力用直流電源の一方の出力を鉄道の電子連動システムなどの遠方入力の共通制御線に接続し、遠方入出力用直流電源の他方の出力が接続されて遠方入力を片線制御方式で制御する複数の直流入力電子回路を有する直流入出力制御装置の雷サージ保護システムにおいて、
前記直流入出力制御装置の各直流入力電子回路に接続された入力制御線と前記直流入出力制御装置に接続された遠方入出力用直流電源の他方の出力との間に接続された非線形抵抗素子からなる雷サージ保護素子と、
前記共通制御線と前記遠方入出力用直流電源の他方の出力との間に接続された非線形抵抗素子からなる雷サージ保護素子と、
前記共通制御線と接地との間に接続され、非線形抵抗素子からなる雷サージ保護素子と放電管からなる雷サージ保護管とを直列に接続した雷サージ保護手段とを有することを特徴とする直流入出力制御装置の雷サージ保護システム。
【請求項２】
遠方入出力用直流電源の一方の出力を鉄道の電子連動システムなどの遠方出力の共通制御線に接続し、遠方入出力用直流電源の他方の出力が接続されて遠方出力を片線制御方式で制御する複数の直流出力電子回路を有する直流入出力制御装置の雷サージ保護システムにおいて、
前記直流入出力制御装置の各直流出力電子回路が接続された出力制御線と前記直流入出力制御装置に接続された遠方入出力用直流電源の一方の出力との間に接続された非線形抵抗素子からなる雷サージ保護素子と、
前記共通制御線と接地との間に接続され、非線形抵抗素子からなる雷サージ保護素子と放電管からなる雷サージ保護管とを直列に接続した雷サージ保護手段とを有することを特徴とする直流入出力制御装置の雷サージ保護システム。
【請求項３】
遠方入出力用直流電源のプラス出力とマイナス出力が接続されて遠方入力又は遠方出力を両線制御方式で制御する複数の直流入力電子回路又は複数の直流出力電子回路を有する直流入出力制御装置の雷サージ保護システムにおいて、
前記直流入出力制御装置の直流入力電子回路又は直流出力電子回路に前記遠方入力又は遠方出力を接続する制御線と該制御線とは極性が異なる前記遠方入出力用直流電源の出力との間に接続された非線形抵抗素子からなる雷サージ保護素子と、
前記遠方入出力用直流電源のプラス出力とマイナス出力との間に接続された非線形抵抗素子からなる雷サージ保護素子と、
前記遠方入出力用直流電源のいずれかの出力と接地との間に接続され、非線形抵抗素子からなる雷サージ保護素子と放電管からなる雷サージ保護管とを直列に接続した雷サージ保護手段とを有することを特徴とする直流入出力制御装置の雷サージ保護システム。
【発明の詳細な説明】
【技術分野】
【０００１】
この発明は、鉄道の電子連動システムなどの直流入出力制御装置の雷サージ保護システムに関するものである。
【背景技術】
【０００２】
鉄道の分野では列車を安全かつ効率的に運行するため、信号機や転てつ機などの相互間で、その取扱いについて一定の順序と制限をつける電子連動システムが開示されている。
【０００３】
この電子連動システムにおいては、従来、大形の鉄道信号用電磁リレーを使用して直流入出力の制御が行われている。この鉄道信号用電磁リレーは、一般に雷サージ耐量が大きいため雷サージ保護の機能を必要としなかった。
【０００４】
近年、鉄道信号分野の制御において電子化が趨勢になり、鉄道信号用電磁リレーに代わって電子回路による制御が行われている。この電子回路は雷サージ耐量が小さいため、特許文献１に示すように、雷サージ保護システムを設けることが必要になった。
【０００５】
図５の回路構成図に示すように、遠方入力ＩＲａ，ＩＲｂに対応して片線制御の２回路の直流入力電子回路２ａ，２ｂがある直流入力制御装置１ａに適用した従来の雷サージ保護システムは、遠方入力ＩＲａと直流入力電子回路２ａとの間の制御線３ａと、遠方入力ＩＲｂと直流入力電子回路２ｂとの間の制御線３ｂと、直流入力電子回路２ａ，２ｂに一方の出力、例えばプラス側が接続され、遠方入力ＩＲａ，ＩＲｂに他方の出力例えばマイナス側が接続された遠方入出力用直流電源装置４と遠方入力ＩＲａ，ＩＲｂとの間の制御線３ｃにそれぞれ例えば酸化亜鉛（ＺｎＯ）素子からなる非線形抵抗素子からなる雷サージ保護素子５と放電管からなる雷サージ保護管６とを直列に接続した雷サージ保護手段７ａ〜７ｃを接続して接地することが一般的である。
【０００６】
また、図６の回路構成図に示すように、遠方入出力用直流電源装置４のプラス側に接続された遠方入力ＩＲａ１と遠方入出力用直流電源装置４のマイナス側に接続された遠方入力ＩＲａ２の２回路の遠方入力ＩＲａと、遠方入出力用直流電源装置４のプラス側に接続された遠方入力ＩＲｂ１と遠方入出力用直流電源装置４のマイナス側に接続された遠方入力ＩＲｂ２の２回路の遠方入力ＩＲｂに対応して両線制御の２回路の直流入力電子回路２ａ，２ｂがある直流入力制御装置１ｂに適用した従来の雷サージ保護システムは、遠方入力ＩＲａ１と直流入力電子回路２ａとの間の制御線３ａ１と、遠方入力ＩＲａ２と直流入力電子回路２ａとの間の制御線３ａ２と、遠方入力ＩＲｂ１と直流入力電子回路２ｂとの間の制御線３ｂ１と、遠方入力ＩＲｂ２と直流入力電子回路２ｂとの間の制御線３ｂ２とにそれぞれ例えば酸化亜鉛（ＺｎＯ）素子からなる非線形抵抗素子からなる雷サージ保護素子５と放電管からなる雷サージ保護管６とを直列に接続した雷サージ保護手段７ａ〜７ｄを接続して接地するとともに、遠方入出力用直流電源装置４と遠方入力ＩＲａ１，ＩＲｂ１との間を接続する制御線３ｃ１と、遠方入出力用直流電源装置４と遠方入力ＩＲａ２，ＩＲｂ２との間を接続する制御線３ｃ２と接地との間に雷サージ保護素子５と放電管からなる雷サージ保護管６とを直列に接続した雷サージ保護手段７ｅ，７ｆを接続している。
【０００７】
また、図７の回路構成図に示すように、遠方出力ＯＲａ，ＯＲｂに対応して片線制御の２回路の直流出力電子回路１１ａ，１１ｂがある直流出力制御装置１０ａに適用した従来の雷サージ保護システムは、遠方出力ＯＲａと直流出力電子回路１１ａとの間の制御線３ａと、遠方出力ＯＲｂと直流出力電子回路１１ｂとの間の制御線３ｂと、直流出力電子回路１１ａ，１１ｂにプラス側が接続され、遠方出力ＯＲａ，ＯＲｂにマイナス側が接続された遠方入出力用直流電源装置４と遠方出力ＯＲａ，ＯＲｂとの間の制御線３ｃにそれぞれ例えば酸化亜鉛（ＺｎＯ）素子からなる非線形抵抗素子からなる雷サージ保護素子５と放電管からなる雷サージ保護管６とを直列に接続した雷サージ保護手段７ａ〜７ｃを接続して接地している。
【０００８】
また、図８の回路構成図に示すように、両線制御の２回路の直流出力電子回路１１ａ，１１ｂがある直流出力制御装置１０ｂに適用した従来の雷サージ保護システムは、両線制御出力の遠方出力ＯＲａのプラス側と直流出力電子回路１１ａとの間の制御線３ａ１と、遠方出力ＯＲａのマイナス側と直流出力電子回路１１ａとの間の制御線３ａ２と、両線制御出力の遠方出力ＯＲｂのプラス側と直流出力電子回路１１ｂとの間の制御線３ｂ１と、遠方出力ＯＲｂのマイナス側と直流出力電子回路１１ｂとの間の制御線３ｂ２とにそれぞれ例えば酸化亜鉛（ＺｎＯ）素子からなる非線形抵抗素子からなる雷サージ保護素子５と放電管からなる雷サージ保護管６とを直列に接続した雷サージ保護手段７ａ〜７ｄを接続して接地している。
【発明の概要】
【発明が解決しようとする課題】
【０００９】
図５に示すように、遠方入力ＩＲａ，ＩＲｂに対応して片側制御の２回路の直流入力電子回路２ａ，２ｂがある直流入力制御装置１ａに適用した従来の雷サージ保護システムにおいて、遠方入力ＩＲａがオンで直流入力電子回路２ａが入力ありで、遠方入力ＩＲｂがオフの状態のときに、雷サージ保護手段７ａ，７ｂが導通故障すると制御線３ａと制御線３ｂが雷サージ保護手段７ａ，７ｂにより短絡されて直流入力電子回路２ｂは入力ありの状態になってしまう。この雷サージ保護手段７ａ，７ｂが同時に導通故障することはほとんど無いと考えられるが、一方の雷サージ保護手段７ａが導通故障後に時間が経過して他方の雷サージ保護手段７ｂに導通故障が発生することによる多重導通故障の発生は無視できない。
【００１０】
また、図６に示すように、両線制御の直流入力電子回路２ａ，２ｂがある直流入力制御装置１ｂに適用した従来の雷サージ保護システムにおいて、遠方入力ＩＲａがオンで直流入力電子回路２ａが入力ありで、遠方入力ＩＲｂがオフの状態のときに、制御線３ａ１と制御線３ｂ１が混触し、雷サージ保護手段７ｂ，７ｄが導通故障すると制御線３ａ２と制御線３ｂ２が雷サージ保護手段７ｂ，７ｄにより短絡されて直流入力電子回路２ｂは入力ありの状態になってしまう。同様に、遠方入力ＩＲａがオンで直流入力電子回路２ａに入力ありで、遠方入力ＩＲｂがオフの状態のときに、制御線３ａ２と制御線３ｂ２が混触し、雷サージ保護手段７ａ，７ｃが導通故障すると制御線３ａ１と制御線３ｂ１が雷サージ保護手段７ａ，７ｃにより短絡されて直流入力電子回路２ｂは入力ありの状態になってしまう。
【００１１】
また、図７に示すように、遠方出力ＯＲａ，ＯＲｂに対応して片線制御の２回路の直流出力電子回路１１ａ，１１ｂがある直流出力制御装置１０に適用した従来の雷サージ保護システムにおいて、直流出力電子回路１１ａが出力ありで遠方出力ＯＲａがオンで、直流出力電子回路１１ｂが出力なしで、遠方出力ＯＲｂがオフの状態のときに、雷サージ保護手段７ａ，７ｂが導通故障すると制御線３ａと制御線３ｂが雷サージ保護手段７ａ，７ｂにより短絡されて直流出力電子回路１１ａによって遠方出力ＯＲｂはオンの状態になるおそれがある。
【００１２】
さらに、図８に示すように、両線制御の直流出力電子回路１１ａ，１１ｂがある直流入出力制御装置１０ｂに適用した従来の雷サージ保護システムにおいて、直流出力電子回路１１ａが出力ありで遠方出力ＯＲａがオンで、直流出力電子回路１１ｂが出力なしで遠方出力ＯＲｂがオフの状態のときに、制御線３ａ１と制御線３ｂ１が混触し、雷サージ保護手段７ｂ，７ｄが導通故障すると制御線３ａ２と制御線３ｂ２が雷サージ保護手段７ｂ，７ｄにより短絡されて直流出力電子回路１１ａによって遠方出力ＯＲｂはオンの状態になるおそれがある。同様に、直流出力電子回路１１ａが出力ありで遠方出力ＯＲａがオンで、直流出力電子回路１１ｂが出力なしで遠方出力ＯＲｂがオフの状態のときに、制御線３ａ２と制御線３ｂ２が混触し、雷サージ保護手段７ａ，７ｃが導通故障すると制御線３ａ１と制御線３ｂ１が雷サージ保護手段７ａ，７ｃにより短絡されて直流出力電子回路１１ａによって遠方出力ＯＲｂはオンの状態になるおそれがある。
【００１３】
また、一般に、雷サージ保護手段７は大形で高価であり、全ての制御線に雷サージ保護手段７を接続することは、経済性とともに大きな設置スペースを必要とする問題もある。
【００１４】
この発明は、このような問題を解消し、簡単な構成で雷サージから確実に保護するとともに直流入出力制御装置の誤制御を確実に防止することができる直流入出力制御装置の雷サージ保護システムを提供することを目的とするものである。
【課題を解決するための手段】
【００１５】
この発明の直流入出力制御装置の雷サージ保護システムは、遠方入出力用直流電源の一方の出力を鉄道の電子連動システムなどの遠方入力の共通制御線に接続し、遠方入出力用直流電源の他方の出力が接続されて遠方入力を片線制御方式で制御する複数の直流入力電子回路を有する直流入出力制御装置の雷サージ保護システムにおいて、前記直流入出力制御装置の各直流入力電子回路に接続された入力制御線と前記直流入出力制御装置に接続された遠方入出力用直流電源の他方の出力との間に接続された非線形抵抗素子からなる雷サージ保護素子と、前記共通制御線と前記遠方入出力用直流電源の他方の出力との間に接続された非線形抵抗素子からなる雷サージ保護素子と、前記共通制御線と接地との間に接続され、非線形抵抗素子からなる雷サージ保護素子と放電管からなる雷サージ保護管とを直列に接続した雷サージ保護手段とを有することを特徴とする。
【００１６】
この発明の第２の直流入出力制御装置の雷サージ保護システムは、遠方入出力用直流電源の一方の出力を鉄道の電子連動システムなどの遠方出力の共通制御線に接続し、遠方入出力用直流電源の他方の出力が接続されて遠方出力を片線制御方式で制御する複数の直流出力電子回路を有する直流入出力制御装置の雷サージ保護システムにおいて、前記直流入出力制御装置の各直流出力電子回路が接続された出力制御線と前記直流入出力制御装置に接続された遠方入出力用直流電源の一方の出力との間に接続された非線形抵抗素子からなる雷サージ保護素子と、前記共通制御線と接地との間に接続され、非線形抵抗素子からなる雷サージ保護素子と放電管からなる雷サージ保護管とを直列に接続した雷サージ保護手段とを有することを特徴とする。
【００１７】
この発明の第３の直流入出力制御装置の雷サージ保護システムは、遠方入出力用直流電源のプラス出力とマイナス出力が接続されて遠方入力又は遠方出力を両線制御方式で制御する複数の直流入力電子回路又は複数の直流出力電子回路を有する直流入出力制御装置の雷サージ保護システムにおいて、前記直流入出力制御装置の直流入力電子回路又は直流出力電子回路に前記遠方入力又は遠方出力を接続する制御線と該制御線とは極性が異なる前記遠方入出力用直流電源の出力との間に接続された非線形抵抗素子からなる雷サージ保護素子と、前記遠方入出力用直流電源のプラス出力とマイナス出力との間に接続された非線形抵抗素子からなる雷サージ保護素子と、前記遠方入出力用直流電源のいずれかの出力と接地との間に接続され、非線形抵抗素子からなる雷サージ保護素子と放電管からなる雷サージ保護管とを直列に接続した雷サージ保護手段とを有することを特徴とする。
【発明の効果】
【００１８】
この発明は、非線形抵抗素子からなる雷サージ保護素子を直流入出力制御装置の複数の直流入力電子回路又は直流出力電子回路に遠方入力又は遠方出力を接続する制御線と、制御線とは極性が異なる遠方入出力用直流電源の出力との間に接続することにより、雷サージ保護素子に導通故障が生じても直流入出力制御装置を安全側に制御して列車の安全運行が損なわれることを防ぐことができる。
【００１９】
また、雷サージ保護手段の数を最小限にすることにより、雷サージ保護機能の低価格化を実現することができる。
【図面の簡単な説明】
【００２０】
【図１】片線制御の直流入力電子回路を有する直流入力制御装置の雷サージ保護システムの構成を示すブロック図である。
【図２】両線制御の直流入力電子回路を有する直流入力制御装置の雷サージ保護システムの構成を示すブロック図である。
【図３】片線制御の直流出力電子回路を有する直流出力制御装置の雷サージ保護システムの構成を示すブロック図である。
【図４】両線制御の直流出力電子回路を有する直流出力制御装置の雷サージ保護システムの構成を示すブロック図である。
【図５】片線制御の直流入力電子回路を有する直流入力制御装置の従来の雷サージ保護システムの構成を示すブロック図である。
【図６】両線制御の直流入力電子回路を有する直流入力制御装置の従来の雷サージ保護システムの構成を示すブロック図である。
【図７】片線制御の直流出力電子回路を有する直流出力制御装置の従来の雷サージ保護システムの構成を示すブロック図である。
【図８】両線制御の直流出力電子回路を有する直流出力制御装置の従来の雷サージ保護システムの構成を示すブロック図である。
【発明を実施するための形態】
【００２１】
以下、図１〜図４に基づき、この発明の雷サージ保護システムを詳細に説明する。
図１は、この発明の直流入力制御装置の雷サージ保護システムの構成を示すブロック図である。図に示すように、遠方入力ＩＲａ，ＩＲｂに対応して片線制御の２回路の直流入力電子回路２ａ，２ｂがある鉄道の電子連動システムなどの直流入力制御装置１ａに適用した雷サージ保護システムは、遠方入力ＩＲａと直流入力電子回路２ａとの間の制御線３ａと遠方入出力用直流電源装置４の一方の出力例えばプラス側に接続された例えば酸化亜鉛（ＺｎＯ）素子のような非線形抵抗素子からなる雷サージ保護素子５ａと、遠方入力ＩＲｂと直流入力電子回路２ｂとの間の制御線３ｂと遠方入出力用直流電源装置４のプラス側に接続された雷サージ保護素子５ｂと、遠方入出力用直流電源装置４のプラス側とマイナス側に接続された雷サージ保護素子５ｃと、遠方入力ＩＲａ，ＩＲｂと遠方入出力用直流電源装置４のマイナス側の出力とを接続する制御線３ｃと接地との間に接続され、雷サージ保護素子５ｄと放電管からなる雷サージ保護管６ｄとを直列に接続した雷サージ保護手段７とを有する。直流入力電子回路２ａ，２ｂは例えばフォトカプラからなる。
【００２２】
この雷サージ保護素子５ａ〜５ｄを構成するＺｎＯ素子は、印加電圧が低く、非直線現象が起こる前の領域で高抵抗となっており、雷サージが流れた後、印加電圧が低くなると絶縁抵抗が元の高抵抗となって絶縁性を回復して続流を防止することができる。また、雷サージ保護手段７の雷サージ保護管６を構成する放電管は雷サージのような高電位ではアーク放電を起こして電流を流し、一度放電が生じると電流を遮断しない限り通電状態のままになる。
【００２３】
この雷サージ保護システムで遠方入力ＩＲａがオンで直流入力電子回路２ａが入力ありで、遠方入力ＩＲｂがオフの状態のときに、雷サージ保護素子５ａが導通故障すると直流入力電子回路２ａの入力は短絡されるので直流入力電子回路２ａは入力なしの状態に制御される。同様に雷サージ保護素子５ｂが導通故障すると直流入力電子回路２ｂの入力は短絡されるので直流入力電子回路２ｂは入力なしの状態に制御される。また、雷サージ保護素子５ｃが導通故障すると遠方入出力用直流電源装置４の出力が短絡されるので、直流入力電子回路２ａは入力なしの状態になる。鉄道の電子連動システムなどのでは入力なしの状態に制御することは安全側であり、雷サージ保護素子５ａ〜５ｃのいずれが導通故障しても直流入力制御装置１ａを安全側に制御することができる。
【００２４】
また、雷サージ保護素子５ａ〜５ｃを直流入力制御装置１ａに内蔵することにより、直流入力制御装置１ａを設置するとき雷サージ保護手段７だけを直流入力制御装置１ａの外部に接続すれば良く、施工を容易に行なうことができる。
【００２５】
また、図２に示すように、両線制御の直流入力電子回路２ａ，２ｂがある鉄道の電子連動システムなどの直流入力制御装置１ｂに適用した雷サージ保護システムは、２回路の遠方入力ＩＲａの一方の遠方入力ＩＲａ１と直流入力電子回路２ａとの間の制御線３ａ１と遠方入出力用直流電源装置４の一方の出力例えばマイナス側とに接続された例えば酸化亜鉛（ＺｎＯ）素子のような非線形抵抗素子からなる雷サージ保護素子５ａ１と、遠方入力ＩＲａ２と直流入力電子回路２ａとの間の制御線３ａ２と遠方入出力用直流電源装置４の他方の出力例えばプラス側とに接続された雷サージ保護素子５ａ２と、２回路の遠方入力ＩＲｂの一方の遠方入力ＩＲｂ１と直流入力電子回路２ｂとの間の制御線３ｂ１と遠方入出力用直流電源装置４のマイナス側とに接続された雷サージ保護素子５ｂ１と、遠方入力ＩＲｂ２と直流入力電子回路２ｂとの間の制御線３ｂ２と遠方入出力用直流電源装置４のプラス側とに接続された雷サージ保護素子５ｂ２と、遠方入出力用直流電源装置４のプラス側とマイナス側に接続された雷サージ保護素子５ｃと、遠方入力ＩＲａ１，ＩＲｂ１と遠方入出力用直流電源装置４のプラス側とを接続する制御線３ｃ２と接地との間に接続され、雷サージ保護素子５ｄと放電管からなる雷サージ保護管６ｄとを直列に接続した雷サージ保護手段７とを有する。
【００２６】
この雷サージ保護システムで遠方入力ＩＲａがオンで直流入力電子回路２ａが入力ありで、遠方入力ＩＲｂがオフの状態のときに、制御線３ａ１と制御線３ｂ１が混触状態の場合、又は制御線３ａ２と制御線３ｂ２が混触状態の場合、雷サージ保護素子５ａ１，５ａ２，５ｂ１，５ｂ２がどのように導通故障しても直流入力電子回路２ｂは入力なしの状態になって安全側に制御される。
【００２７】
また、図３に示すように、遠方出力ＯＲａ，ＯＲｂに対応して片線制御の２回路の直流出力電子回路１１ａ，１１ｂがある直流出力制御装置１０ａに適用した雷サージ保護システムは、遠方出力ＯＲａと直流出力電子回路１１ａとの間の制御線３ａと遠方入出力用直流電源装置４の一方の出力例えばマイナス側とに接続された例えば酸化亜鉛（ＺｎＯ）素子のような非線形抵抗素子からなる雷サージ保護素子５ａと、遠方出力ＯＲｂと直流出力電子回路１１ｂとの間の制御線３ｂと遠方入出力用直流電源装置４のマイナス側とに接続された雷サージ保護素子５ｂと、遠方出力ＯＲａ，ＯＲｂと遠方入出力用直流電源装置４のマイナス側の出力とを接続する制御線３ｃと接地との間に接続され、雷サージ保護素子５ｄと放電管からなる雷サージ保護管６ｄとを直列に接続した雷サージ保護手段７とを有する。
【００２８】
この雷サージ保護システムで直流出力電子回路１１ａが出力ありで遠方出力ＯＲａがオンで、直流出力電子回路１１ｂが出力なしで遠方出力ＯＲｂがオフの状態のときに、雷サージ保護素子５ａ，５ｂがどのように導通故障しても直流出力電子回路１１ｂは出力なしの状態になって安全側に制御される。
【００２９】
さらに、図４に示すように、両線制御の２回路の直流出力電子回路１１ａ，１１ｂがある直流出力制御装置１０ｂに適用した雷サージ保護システムは、２回路の遠方出力ＯＲａの一方の遠方出力ＯＲａ１と直流出力電子回路１１ａとの間の制御線３ａ１と遠方入出力用直流電源装置４の一方の出力例えばマイナス側とに接続された例えば酸化亜鉛（ＺｎＯ）素子のような非線形抵抗素子からなる雷サージ保護素子５ａ１と、２回路の遠方出力ＯＲａの他方の遠方出力ＯＲａ２と直流出力電子回路１１ａとの間の制御線３ａ２と遠方入出力用直流電源装置４の他方の出力例えばプラス側とに接続された雷サージ保護素子５ａ２と、２回路の遠方出力ＯＲｂの一方の遠方出力ＯＲｂ１と直流出力電子回路１１ｂとの間の制御線３ｂ１と遠方入出力用直流電源装置４のマイナス側とに接続された雷サージ保護素子５ｂ１と、２回路の遠方出力ＯＲｂの他方の遠方出力ＯＲｂ２と直流出力電子回路１１ｂとの間の制御線３ｂ２と遠方入出力用直流電源装置４のプラス側とに接続された雷サージ保護素子５ｂ２と、遠方入出力用直流電源装置４のプラス側とマイナス側に接続された雷サージ保護素子５ｃと、遠方入出力用直流電源装置４のプラス側の出力と接地との間に接続され、雷サージ保護素子５ｄと放電管からなる雷サージ保護管６ｄとを直列に接続した雷サージ保護手段７とを有する。
【００３０】
この雷サージ保護システムで直流出力電子回路１１ａが出力ありで遠方出力ＯＲａがオンで、直流出力電子回路１１ｂが出力なしで遠方出力ＯＲｂがオフの状態のときに、制御線３ａ１と制御線３ｂ１が混触状態の場合、又は制御線３ａ２と制御線３ｂ２が混触状態の場合、雷サージ保護素子５ａ１，５ａ２，５ｂ１，５ｂ２，５ｃがどのように導通故障しても直流出力電子回路１１ｂは出力なしの状態になって安全側に制御される。
【符号の説明】
【００３１】
ＩＲａ，ＩＲｂ；遠方入力、ＯＲａ，ＯＲｂ；遠方出力、１；直流入力制御装置、
２；直流入力電子回路、３；制御線、４；遠方入出力用直流電源装置、
５；雷サージ保護素子、６；雷サージ保護管、７；雷サージ保護手段、
１０；直流出力制御装置、１１；直流出力電子回路。
【先行技術文献】
【特許文献】
【００３２】
【特許文献１】特開２００３−１６５４４０号公報
【図１】
2010279187.tif 000003
【図２】
2010279187.tif 000004
【図３】
2010279187.tif 000005
【図４】
2010279187.tif 000006
【図５】
2010279187.tif 000007
【図６】
2010279187.tif 000008
【図７】
2010279187.tif 000009
【図８】
2010279187.tif 000010